(57)【要約】  【課題】外部で作成された編集情報をメタデータとして有するメディアが挿入されると、編集情報にしたがって編集を自動的に行う。  【解決手段】Ｓ１１において、ディスク収納棚の所望の棚にディスクが挿入される。Ｓ１３において、ドライブブロックによりディスクが搬送され、ドライブブロックに装填される。Ｓ１４において、ドライブブロックが装填されたディスクの管理ファイルや、メタデータを読む。Ｓ１５において、ディスク管理ファイルの有無が判定される。ディスク管理ファイルが無いと判定されると、Ｓ１８において、当該ディスクがオートインジェスションディスクと認識される。Ｓ２４において、編集情報が抽出される。ステップＳ２５において、編集情報に基づいて編集がなされ、編集結果のディスティネーションディスクが作成される。【選択図】図８
2010067325.tif 000002
【特許請求の範囲】
【請求項１】
編集に使用する１または複数のソースメディアと編集結果が記録されるディスティネーションディスクとが記録再生部に装填されるステップと、
上記記録再生部によって、上記ソースメディアの情報を読み取り、上記ソースメディアにメタデータとして記録されている編集情報を再生するステップと、
上記編集情報を制御部に供給するステップと、
上記制御部が上記記録再生部を制御することによって、上記編集情報に含まれる識別情報で指示される上記ソースメディアから、上記編集情報に含まれるアドレス情報で規定される情報データ部分を切り取り、切り取った上記情報データ部分を上記デストネーションメディアにコピーする編集ステップと、
上記編集ステップの終了後に上記ソースメディアおよび上記デストネーションメディアを上記メディア収容部に戻すステップと
からなるメディア管理方法。
【請求項２】
編集ステップにおいて、上記ソースメディアに記録されている上記情報データ部分を順番に上記デストネーションメディアにコピーする編集がなされる請求項１記載のメディア管理方法。
【請求項３】
複数の上記ソースメディアが別々の上記記録再生部に装填され、上記複数のソースメディアから切り取られた上記情報データ部分を上記デストネーションメディアに順にコピーする請求項１記載のメディア管理方法。
【請求項４】
上記ソースメディアおよび上記デストネーションメディアが光ディスクであり、
上記記録再生部が複数のディスクドライブから構成される請求項１記載のメディア管理方法。
【請求項５】
リムーバブルなメディアを収容し、上記メディアを交換可能なメディア収容部と、
上記メディアに対して記録／再生を行う記録再生部と、
上記メディア収容部と上記記録再生部の間で、メディアを搬送する搬送部と、
上記記録再生部および上記搬送部の制御と、上記メディア収容部に収容されるメディアの管理のためのデータベースを作成する制御と、上位システムとの通信を行う制御とを行う制御部とを備え、
上記制御部は、上記記録再生収納部に装填されたソースメディアの情報を読み取り、上記ソースメディアにメタデータとして記録されている編集情報を再生し、
上記制御部が上記記録再生部を制御することによって、上記編集情報に含まれる識別情報で指示される１または複数の上記ソースメディアから、上記編集情報に含まれるアドレス情報で規定される情報データ部分を再生し、再生した上記情報データ部分をデストネーションメディアにコピーする編集を行い、
上記編集の終了後に上記ソースメディアおよび上記デストネーションメディアを上記メディア収容部に戻すように、上記搬送部を制御するストレージ装置。
【発明の詳細な説明】
【技術分野】
【０００１】
この発明は、光ディスク等のリムーバブルなメディアを収納して放送局におけるアーカイブシステムを構成するのに適用されるメディア管理方法およびストレージ装置に関する。
【背景技術】
【０００２】
従来では、大量の放送用の映像、音声情報（以下、素材と適宜称する）を保存するのに、ビデオテープカセットを使用したカートマシンが使用されていた。しかしながら、デジタル化された素材を蓄積し、番組を制作する場合には、ランダムアクセスが可能なメディアが望ましい。その結果、テープカセットに代えて、光ディスク、ハードディスク、半導体メモリ等のメディアが使用される。
【０００３】
図１５に示すように、従来のストレージシステムは、ディスクレコーダ２０１と編集器２０２とがデジタルインターフェース例えばＩＥＥＥ(Institute of Electrical and Electronics Engineers)１３９４によって接続された構成とされている。ディスクレコーダ
２０１は、ディスク２０３が装填され、ディスク２０３に対してデータを記録し、ディスク２０３からデータを再生するものである。
【０００４】
ディスク２０３は、カートリッジ内に相変化記録型の光ディスクが配され、シャッターを有するものである。４０５ｎｍの波長のレーザが使用され、記録層が１層の単層光ディスクの場合で２３．３ＧＢで、記録層が２層の２層光ディスクの場合で５０ＧＢの容量を有する。かかるディスクを記録媒体として使用する業務用のカムコーダ（レコーダが一体構成のビデオカメラであり、商品名である）が実用化されている。上述したディスク２０３は、例えばカムコーダによって撮影された素材が記録されている。
【０００５】
ディスク２０３には、圧縮された高解像度映像音声データが所定のファイルフォーマットでもって記録され、高速のファイル転送が可能とされている。さらに、光ディスク２０３には、日付、時刻、各種コメント等の収録映像の付加情報や、オフライン編集用に活用可能なProxyＡＶデータ（低ビットレート映像音声データ）がメタデータとして記録され
る。
【０００６】
メタデータを活用することによって、映像データの一元管理、簡単且つ高速な検索、効率的な運用等が可能となる。また、デジタルビデオ用のインターフェースを介してディスク２０３のデータに対して編集器２０２が直接、アクセスすることができる。ディスク２０３に記録されているデータが図１６に示すファイル構造を有する。例えば「C001.XML」は、一つのファイル例えばＸＭＬ(eXtensible Markup Language)形式のファイルを示す。ファイルは、シーン、カット等に対応した高解像度映像音声データであり、クリップと称される。コンテンツ（番組）は、クリップの集合体である。
【０００７】
図１７に示すフローチャートは、従来のストレージシステムの処理の流れを示す。ディスクレコーダ２０１がディスク２０３が挿入されたことを検出する（ステップＳ１）。ディスク挿入を上位の編集器２０２に対して通知する（ステップＳ２）。
【０００８】
ステップＳ３において、編集器２０２からのリクエストの有無が判定される。リクエストがあると判定されると、ステップＳ４において、ディスク２０３が再生され、ディスク２０３からデータが読み込まれ、編集器２０２に対して再生データがファイル単位で転送される。編集器２０２の表示部には、図１６に示すようなファイル構造が表示され、編集器２０２の操作者が所望のクリップを指定すると、クリップ情報がレコーダ２０１に対して伝送され、レコーダ２０１が指定されたクリップを再生する。
【０００９】
ステップＳ５は、転送リクエストの有無を判定するもので、クリップを指定することによって転送リクエストが発生する。ステップＳ６において、指定されたクリップが転送されて、一連の処理が終了する。
【００１０】
編集器２０２は、データ量の少ないProxyＡＶデータを使用して編集を行うことができ
るので、例えばパーソナルコンピュータおよびディスクドライブを使用した構成とできる。したがって、ニュース取材の現場のような外で、カムコーダによって取得した素材の編集を行うことができる。ニュース素材を編集する場合には、クリップを順につなげるカット編集が行われる。さらに、編集結果を表す編集情報がメタデータとしてディスク２０３に記録される。このように素材が記録されたディスク２０３が放送局のアーカイブシステムに収納される。
【００１１】
関連性のある素材が複数枚のディスク（以下、ソースディスクと適宜称する）に記録されている場合、複数枚のソースディスクを使用してカット編集がなされる。編集情報としては、使用するディスクを識別する情報（以下、ディスクＩＤと適宜称する）と、使用するＡＶデータの区間を示す情報（タイムコードで表される）とからなる。複数枚のソースディスクに対しては、同一の編集情報が書かれる。複数枚のソースディスクが放送局のアーカイブシステムに収納される。アーカイブシステムの上位システムが複数枚のソースディスクを使用し、ソースディスクに記録されている編集情報にしたがって編集を行い、編集後のディスク（以下、ディスティネーションディスクと適宜称する）を作成する。
【００１２】
従来では、テープカセットを使用したカートマシンにおいて、各カセットを識別するためのカセットナンバーを管理することが下記の特許文献１に記載されている。
【００１３】
【特許文献１】特開平７−２６２７５７号公報
【００１４】
さらに、ディスクに記録されている映像素材をアーカイブ管理装置に登録する場合に、ディスクに撮影時に記録されたメタデータを利用してグループ分けし、編集装置がグルーブに基づいてアクセスすることが下記の特許文献２に記載されている。
【００１５】
【特許文献２】特開平１０−３３３６８７号公報
【発明の開示】
【発明が解決しようとする課題】
【００１６】
従来のテープカセット或いはディスクを使用するストレージ装置は、上位システムに対して受動的な処理を行うのにとどまっていた。例えば図１７のフローチャートにおけるステップＳ２において、ディスクが挿入された場合に、レコーダ２０１は、挿入されたディスクのＩＤ等を上位システムに対して通知するのみであった。グループ分けを行う特許文献２に記載のものでも、上位システムがアーカイブシステムに蓄積されている情報に対してアクセスするものであり、アーカイブシステムが上位システムに対して受動的な処理を行うものであった。
【００１７】
このため、上位システムがアーカイブシステムを制御するために、処理の高速化、処理の効率の向上が充分になされない問題があった。上述したように、関連性のあるニュース素材と編集情報とが記録されている複数枚のソースディスクをアーカイブシステムに挿入すると、上位システムが編集情報を受け取る。上位システムが編集情報にしたがって複数のソースディスクを再生するディスクドライブと、ディスティネーションディスクを作成するディスクドライブとを制御することによって編集が行われる。
【００１８】
したがって、この発明の目的は、編集情報にしたがった編集処理をストレージ装置において行うことによって、上述した従来の問題点を解決することができるメディア管理方法およびストレージ装置を提供することにある。
【課題を解決するための手段】
【００１９】
上述した課題を解決するために、この発明は、編集に使用する１または複数のソースメディアと編集結果が記録されるディスティネーションディスクとが記録再生部に装填されるステップと、
記録再生部によって、ソースメディアの情報を読み取り、ソースメディアにメタデータとして記録されている編集情報を再生するステップと、
編集情報を制御部に供給するステップと、
制御部が記録再生部を制御することによって、編集情報に含まれる識別情報で指示されるソースメディアから、編集情報に含まれるアドレス情報で規定される情報データ部分を切り取り、切り取った情報データ部分をデストネーションメディアにコピーする編集ステップと、
編集ステップの終了後にソースメディアおよびデストネーションメディアをメディア収容部に戻すステップと
からなるメディア管理方法である。
【００２０】
好ましくは、編集ステップにおいて、ソースメディアに記録されている情報データ部分を順番にデストネーションメディアにコピーする編集がなされる。
【００２１】
好ましくは、複数のソースメディアが別々の記録再生部に装填され、複数のソースメディアから切り取られた情報データ部分をデストネーションメディアに順にコピーする。
【００２２】
好ましくは、ソースメディアおよびデストネーションメディアが光ディスクであり、
記録再生部が複数のディスクドライブから構成される。
【００２３】
この発明は、リムーバブルなメディアを収容し、メディアを交換可能なメディア収容部と、
メディアに対して記録／再生を行う記録再生部と、
メディア収容部と記録再生部の間で、メディアを搬送する搬送部と、
記録再生部および搬送部の制御と、メディア収容部に収容されるメディアの管理のためのデータベースを作成する制御と、上位システムとの通信を行う制御とを行う制御部とを備え、
制御部は、記録再生収納部に装填されたソースメディアの情報を読み取り、ソースメディアにメタデータとして記録されている編集情報を再生し、
制御部が記録再生部を制御することによって、編集情報に含まれる識別情報で指示される１または複数のソースメディアから、編集情報に含まれるアドレス情報で規定される情報データ部分を再生し、再生した情報データ部分をデストネーションメディアにコピーする編集を行い、
編集の終了後にソースメディアおよびデストネーションメディアをメディア収容部に戻すように、搬送部を制御するストレージ装置である。
【発明の効果】
【００２４】
この発明によれば、例えばレコーダが一体構成のビデオカメラの撮像データと、編集情報とが記録されたソースメディアが挿入されると、自動的に編集動作がなされる。編集後のデータが記録されたデストネーションメディアが作成される。したがって、上位システムが編集情報にしたがってストレージ装置を制御することによって、編集を行うことが不要となる。処理の分散化によって、上位システムの処理の負担が軽減される。ストレージ装置が備えている複数の記録再生部を有効に利用して編集を行うことができる。
【発明を実施するための最良の形態】
【００２５】
以下、この発明の実施の形態について図面を参照しながら説明する。なお、以下に説明する実施の形態は、この発明の好適な具体例であり、技術的に好ましい種々の限定が付されているが、この発明の範囲は、以下の説明において、特にこの発明を限定する旨の記載がない限り、実施の形態に限定されないものとする。
【００２６】
以下、この発明を実施するための最良の形態（以下実施の形態とする）について説明する。なお、以下の順序にしたがって一実施の形態について説明する。
１．メディア管理方法およびストレージ装置の概略
２．用語の定義
３．ストレージ装置の構成および動作
４．ファイル構造と編集情報の一例
５．一実施の形態の処理の流れ
６．編集処理の具体例
【００２７】
１．メディア管理方法およびストレージ装置の概略
この発明の一実施の形態について説明する。この発明の一実施の形態によるメディア管理方法は、図２および図３のブロック図および図８のフローチャートに記載されている。すなわち、編集に使用する１または複数のソースメディアと編集結果が記録されるディスティネーションディスクとが記録再生部に装填されるステップＳ１１と、
記録再生部によって、ソースメディアの情報を読み取り、ソースメディアにメタデータとして記録されている編集情報を再生するステップＳ１４、Ｓ２４と、
編集情報を制御部に供給するステップＳ２４と、
制御部が記録再生部を制御することによって、編集情報に含まれる識別情報で指示されるソースメディアから、編集情報に含まれるアドレス情報で規定される情報データ部分を切り取り、切り取った情報データ部分をデストネーションメディアにコピーする編集ステップＳ２５と、
編集ステップの終了後にソースメディアおよびデストネーションメディアをメディア収容部に戻すステップＳ１７と
からなる。
【００２８】
この発明の一実施の形態によるストレージ装置は、図１乃至図３のブロック図および図８のフローチャートに記載されている。すなわち、リムーバブルなメディアを収容し、メディアを交換可能なメディア収容部１０３と、
メディアに対して記録／再生を行う記録再生部１０６、１０６Ａ、１０６Ｂ、１０６Ｃと、
メディア収容部と記録再生部の間で、メディアを搬送する搬送部１０５と、
記録再生部および搬送部の制御と、メディア収容部に収容されるメディアの管理のためのデータベースを作成する制御と、上位システムとの通信を行う制御とを行う制御部１１２とを備え、
制御部１１２は、記録再生収納部に装填されたソースメディアの情報を読み取り、ソースメディアにメタデータとして記録されている編集情報を再生し、
制御部が記録再生部を制御することによって、編集情報に含まれる識別情報で指示される１または複数のソースメディアから、編集情報に含まれるアドレス情報で規定される情報データ部分を再生し、再生した情報データ部分をデストネーションメディアにコピーする編集を行い、
編集の終了後にソースメディアおよびデストネーションメディアをメディア収容部に戻すように、搬送部を制御する。
【００２９】
２．用語の定義
以下の説明において使用するいくつかの用語の定義について以下に示す。
ＮＬＥ(Non Linear Editing)：ノンリニア編集とは、ビデオテープを使用しないで、パーソナルコンピュータやワークステーションのハードディスク上でデジタルビデオ編集を行うことである。
クリップ：ファイルは、シーン、カット等に対応した高解像度映像音声データであり、クリップと称される。コンテンツ（番組）は、クリップの集合体である。
ｆｔｐサーバ：ｆｔｐを使用してファイルの送受信を行うサーバのことである。
ｆｔｐ（File Transfer Protocol）：ｆｔｐは、ネットワークでファイルの転送を行うための通信規約（プロトコル）である。
ＭＸＦ(Material eXchange Format)：Pro-MPEGフォーラムにより標準化中のイーサネット（登録商標）を接続フォーマットとした標準ファイルフォーマット。ＭＸＦは、圧縮方式や信号フォーマットに依存しないファイル交換フォーマットであるため、インターネット、ＬＡＮ等のストリーミング可能な環境にファイルを転送することによって、ストリーミング機能を実現できる。また、ＡＶコンテンツ以外にその内容・種類・撮影場所・撮影機材等のメタデータを一体化して送ることも可能である。
【００３０】
アーカイブディスク：ストレージ装置で記録され、管理されるディスク。
オートインジェスションディスク：ストレージ装置外で記録され、その記録情報を自動的にシステムに取り込む目的を有するディスク。
ディスク管理ファイル：ストレージ装置内で使用する管理データ。例えば記録日時、データ容量、最後のアクセスの日時、ＡＶデータのフォーマット等を記述する。ディスク管理データは、ストレージ装置内で記録されるものであり、ディスク管理データの有無によって、アーカイブディスクとオートインジェスションディスクとを判別することができる。
ＳＭＩファイル：ＳＭＩＬ(Synchronized Multimedia Integration Language)で書かれたテキストファイルのことである。ＳＭＩＬは、ＸＭＬで作られたマルチメディア記述用の言語である。時間に関するコントロール等を目的としたものである。ＳＭＩＬを実行するには、ＳＭＩＬを再生することができるソフトウェア（Real Player（商品名）等）がイ
ンストールされていることが必要とされる。
【００３１】
Discs.ＳＴＳ：外部からストレージ装置に対して、オートインジェスションディスクが挿入されたことを上位システムに対して通知するためのファイルである。
設定ファイル：ストレージ装置の設定ファイル。
High Resファイル：High Resolutionファイル。オリジナルの高解像度音声画像ファイル
。
Proxy ファイル：Low Resolutionファイル。High Resファイルを圧縮した低解像度ファイル。データ容量が小さいので、転送時間を短くできる。先にProxy ファイルを取り込んで編集情報を作成する場合に使用されたり、動画検索に使用される。
Partial Retrieve：部分ファイルの転送。High Resファイルの必要な部分を指定して、その部分だけをディスクから読み出すことができる。ｆｔｐの転送機能である。
ｆｔｐで転送：設定ファイルにしたがって、指定されたネットワーク上のサーバのディスクエリアにコンテンツを転送する。
【００３２】
３．ストレージ装置の構成および動作
図１に示すように、この発明の一実施の形態におけるストレージ装置（ディスクカートシステム、またはディスクチェンジャーとも称される）１００は、箱型のケース１０１の一面に開閉自在に扉１０２を有する。ケース１０１内に、所定枚数例えば２０枚のディスクを各収納部に収納可能なディスク収納棚１０３と、ディスクに対する記録／再生を行うドライブブロックと、ディスクを搬送する搬送ブロックと、電源、制御部（コンピュータ等）が収納された電気ブロック等が配置されている。
【００３３】
ストレージ装置１００は、ディスク、カード状の半導体メモリ、リムーバブルハードディスク等のリムーバブルなメディアを扱うものである。一実施の形態では、ディスクが使用される。ディスクは、カートリッジ内に相変化記録型の光ディスクが配され、シャッターを有するものであり、過酷な環境下での撮像から長期間のアーカイブにいたるまで放送業務用に適した構成とされている。ディスクの書き込み／読み出しには、４０５ｎｍの波長のレーザが使用され、単層光ディスクの場合で２３．３ＧＢで、２層光ディスクの場合で５０ＧＢの容量を有する。
【００３４】
かかるディスクを記録媒体として使用するカムコーダ（レコーダが一体構成のビデオカメラであり、商品名である）が実用化されている。さらに、カムコーダとＩＥＥＥ１３９４で接続される携帯型のレコーダも実用化されている。このレコーダとして、ディスク内の素材のカット編集が可能で、編集結果（スタート位置と長さとを規定する編集情報）をメタデータ中のＳＭＩファイルとしてディスクに保存する機能を有するものが商品化されている。レコーダに限らず、所定のアプリケーションソフトウェアがインストールされたパーソナルコンピュータおよびディスクドライブによって同様の編集を行うことができる。さらに、ディスクのカートリッジ表面にバーコードラベルが貼られ、バーコードが表すディスクＩＤによるディスクの管理が可能とされている。
【００３５】
ディスクには、圧縮された高解像度映像音声データ（High Resファイル）が記録される。さらに、光ディスク２０３には、日付、時刻、各種コメント等の収録映像の付加情報や、オフライン編集用に活用可能なProxy ファイル（低解像度ファイル）、上述した編集情報がメタデータとして記録される。
【００３６】
カムコーダによって撮影された例えばニュース素材がディスクに記録される。同一の日に撮影された素材、同一の場所で撮影された素材、同一の事件に関して撮影された素材等が１枚または複数枚のディスクに記録される場合がしばしばある。編集機能を有するレコーダ、またはパーソナルコンピュータおよびディスクドライブによってかかるディスクに関してのカット編集がカメラマン等によってなされる。すなわち、オリジナル素材が記録されているディスクを特定するためのディスク識別情報（以下、ディスクＩＤと適宜称する）と、オリジナル素材中の貼り付ける区間を特定するためのアドレス情報例えばタイムコードとが編集情報に含まれている。オリジナル素材が記録されている複数枚のディスクに記録される編集情報は、同一のものとされる。
【００３７】
図２を参照してストレージ装置１００の動作の概略について説明する。図２Ａにおいて矢印Ａで示すように、ディスク収納棚１０３が水平方向に移動可能とされ、ディスク収納棚１０３が扉１０２側（フロント側）に位置する状態と、後退して図２Ｂに示すように、電気ブロック１０４の近傍のバック側に位置する状態とをとりうる。
【００３８】
搬送ブロック１０５は、矢印Ｂで示すように、昇降可能とされ、図２Ａに示すように、記録再生部としてのドライブブロック１０６の近傍に位置する下側の状態と、図２Ｂに示すように、上昇して後退したディスク収納棚１０３のフロント側に位置する上側の状態とをとりうる。後述するように、ディスクに対して記録／再生を行うドライブブロック１０６として、複数台例えば３台のドライブブロック１０６ａ，１０６ｂ，１０６ｃが備えられている。３台のドライブブロックを区別する必要がない場合は、単にドライブブロック１０６と称する。
【００３９】
通常時、搬送ブロック１０５が上下に動作しないで停止しているときは、ドライブブロック１０６が記録／再生動作中を含めて、ディスク収納棚１０３が図２Ａに示すように、扉１０２の裏側（前方オペレータ側）に位置する。扉１０２を開閉して、ディスク収納棚１０３に対してディスクを交換（挿入／取り出し）することができる。搬送ブロック１０５がドライブブロック１０６の前で待機している。
【００４０】
アプリケーションソフトウェアからの指示によって、ディスク収納棚１０３の所定の棚（ビン番号で特定される）からディスクをドライブブロック１０６に搬送する時には、ディスク収納棚１０３がオペレータ側位置から図２Ｂに示す後方位置に移動する。搬送ブロック１０５がドライブブロック１０６の前の位置から図２Ｂに示すように、ディスク収納棚１０３の前の位置に移動される。そして、上位から指定されたディスクをディスク収納棚１０３から取込む。次に、搬送ブロック１０５が下降し、ドライブブロック１０６の前の位置に移動させる。搬送ブロック１０５からドライブブロック１０６にディスクを挿入する。
【００４１】
ドライブブロック１０６において、記録あるいは再生が終了したディスクをディスク収納棚１０３の元のビン番号の棚に搬送する場合には、ディスク収納棚１０３を後方位置に移動させる。ドライブブロック１０６から排出されたディスクを搬送ブロック１０５が取込み、搬送ブロック１０５が上昇してディスク収納棚１０３の前の位置へ移動される（図２Ｂ参照）。そして、ディスクを搬送ブロック１０５からディスク収納棚１０３の元の棚へ挿入する。搬送ブロック１０５を下降させてドライブブロック１０６の前の位置に移動させる。ディスク収納棚１０３をオペレータ側に移動させる。
【００４２】
図３に示すように、電気ブロック１０４内には、アプリケーション用コンピュータ１１１、コントローラ（コンピュータ）１１２およびハードディスク１１３が含まれている。ハードディスク１３には、ストレージ装置１００に収納されているディスクの属性情報、フォーマット情報等のデータベースが記憶される。
【００４３】
アプリケーション用コンピュータ１１１は、上位システムの編集器（ＮＬＥ）１２１およびＡＶ(Audio Visual）サーバ１２２とＬＡＮ(Local Area Network)例えばギガビット
イーサネット（登録商標）１２３でもって接続されている。アプリケーション用コンピュータ１１１には、予めインターフェース用のソフトウェアがインストールされ、ネットワーク上の他の機器とファイル形式（例えばＭＸＦ形式）でのデータのやりとりが可能とされている。
【００４４】
編集器１２１は、ストレージ装置１００からの素材を使用して編集を行う。ＡＶサーバ１２２は、ストレージ装置１００からの素材を受け取って送出用の素材を生成するものである。図示しないが、上位システムとして、これらの他に、コンテンツサーバ、アーカイブ（大容量のストレージ）等を接続しても良い。
【００４５】
上位システムからは、ストレージ装置１００がｆｔｐサーバとして見える。ディスクストレージ装置１００のファイルシステムを上位システムが把握することができる。
【００４６】
コントローラ１１２は、上述したようなストレージ装置１００の機構（ディスク収納棚１０３および搬送ブロック１０５）を駆動するモータ、ソレノイド等の等の駆動部１１４の動きを制御し、また、ドライブブロック１０６の記録／再生動作を制御する。コントローラ１１２に対してドライブブロック１０６Ａ，１０６Ｂ，１０６Ｃおよび駆動部１１４が接続される。ドライブブロック１０６Ａ，１０６Ｂ，１０６Ｃにより記録／再生されるデータは、ＬＡＮ１２３を介して伝送される。例えば３台のドライブブロックを設けているのは、複数の上位装置からの並行したアクセスに対応するためである。さらに、複数台のドライブブロックを利用して後述するように、ストレージ装置１００においてカット編集がなされる。
【００４７】
４．ファイル構造と編集情報の一例
図４は、この発明の一実施の形態におけるファイル構造を示す。ディスクＩＤによってディスクが特定され、当該ディスクのプロパティ情報MEDIAPRO.XMLが記述される。図５がMEDIAPRO.XMLの一例である。MEDIAPRO.XMLには、ディスクのＩＤであるProavIDとクリッ
プのＩＤであるumidの関係が示してある。
【００４８】
編集情報としてE0001E01.SMIが含まれている。図６がE0001E01.SMIの一例である。図６に示すように、オリジナル素材から切り出され、順につながられる各区間を特定する複数の値が記述されている。複数の値は、図７に示し、下記に説明するものである。
【００４９】
umid：対象とするクリップ名のユニークなＩＤである。クリップ単位またはクリップ中の一部の区間が編集の単位とされる。
clipBegin:切り出されるクリップの先頭位置である。クリップの先頭から数えたフレームカウント値で表わされる（すなわち、タイムコード値）。
clipEnd:切り出される区間の終了位置である。クリップの先頭から数えたフレームカウント値で表わされる（すなわち、タイムコード値）。
【００５０】
５．一実施の形態の処理の流れ
図８および図９を参照してこの発明の一実施の形態の処理の流れについて説明する。この動作は、アプリケーション用コンピュータ１１１およびコントローラ１１２の制御によりなされる。
【００５１】
図８のフローチャートにおけるステップＳ１１において、扉が開けられ、ディスク収納棚の棚（ビン）にディスクが挿入され、扉を閉められる。ステップＳ１２において、挿入されたディスクのカートリッジに付されているバーコードが読み取られる。バーコードが当該ディスクのディスクＩＤを表す。ディスクＩＤは、バーコード以外にディスク上にデータとして記録される。この発明の一実施の形態では、ディスクに記録されているディスクＩＤによって、オリジナル素材が記録されているソースディスクおよびディスティネーションディスクが識別される。
【００５２】
ステップＳ１３において、ディスク収納棚および搬送ブロックが上述したような動作を行い、挿入されたディスクが搬送ブロックによってドライブブロックに搬送され、ドライブブロックに装填される。ステップＳ１４において、ドライブブロックが装填されたディスクの管理ファイルや、メタデータが読まれる。
【００５３】
ステップＳ１５において、ストレージ装置内で使用する管理データであるディスク管理ファイルの有無が判定される。ディスク管理ファイルがあると判定されると、このディスクの属性は、ストレージ装置内で記録がなされ、ストレージ装置内で管理されるアーカイブディスクと判定される。ステップＳ１６において、アーカイブディスクとしてデータベースに登録される。そして、ステップＳ１７におい、ディスクがディスク収納棚の元のビン番号の棚に戻される。
【００５４】
上述したように、ディスク収納棚が後方位置に移動し、ドライブブロックから排出されたディスクを搬送ブロックが取込み、搬送ブロックが上昇してディスク収納棚の前の位置へ移動し、ディスクを搬送ブロックからディスクがディスク収納棚へ戻される。その後、搬送ブロックが下降してドライブブロックの前の位置に移動される。ディスク収納棚がオペレータ側に移動される。
【００５５】
ステップＳ１５において、ディスク管理ファイルが無いと判定されると、ステップＳ１８において、当該ディスクの属性がオートインジェスションディスクと認識される。オートインジェスションディスクは、ストレージ装置の外部例えばカムコーダによって記録され、その記録情報を自動的にストレージシステムに取り込む目的を有するディスクである。
【００５６】
ステップＳ１９において、ＳＭＩファイルの有無が判定される。ＳＭＩファイルは、上述したように、オリジナル素材のクリップ中の編集に使用する区間を特定するクリップＩＤとアドレス情報（開始位置および終了位置）からなる編集情報である。かかる編集情報は、携帯型のレコーダ、またはパーソナルコンピュータおよびディスクドライブを使用した編集の編集結果である。
【００５７】
ステップＳ１９において、ＳＭＩファイルが無いと判定されると、ステップＳ２０において、設定ファイルの設定が調べられ、設定にしたがって処理がなされる。設定ファイルは、予めユーザがメニュー画面を開いて設定することによって作成されるものである。一例として、以下の３通りの設定が可能とされている。
【００５８】
第１の設定がなされている場合には、ステップＳ２１に示される処理がなされる。すなわち、Discs.ＳＴＳをストレージ装置から上位システムに対して転送することによって、外部からオートインジェスションディスクが挿入されたことが設定されている上位システム（サーバ）に対して通知される。通知のみの処理である。
【００５９】
第２の設定がなされている場合には、ステップＳ２２の処理がなされる。すなわち、High Resファイル（高解像度ファイル）を圧縮した低解像度ファイルのProxy ファイルがｆｔｐによって、設定されている上位システム（サーバ）に対して転送される。例えばProxy ファイルを受け取った上位システムの編集器は、編集作業を行い、編集情報を作成する。作成した編集情報にしたがって、ストレージ装置が部分再生を行うようにストレージ装置が制御され、部分再生によって、本編集のために必要な部分のＭＸＦファイルが取得される。
【００６０】
第３の設定がなされている場合には、ステップＳ２３の処理がなされる。すなわち、High Resファイル（ＭＸＦファイル）がｆｔｐで設定されている上位システム（サーバ）に対して転送される。第３の設定は、Proxy ファイルを使用した編集を行わずに、直ぐにＭＸＦファイルを取り入れるようなシステムに対して適用される。
【００６１】
ユーザがメニュー画面を表示してマウス等のデバイスを操作し、アプリケーション用コンピュータ１１１の設定ファイルが作成される。設定ファイルには、上述した３通りの処理（モード）が規定されている。すなわち、通知のみの処理（ステップＳ２１）、Proxy
ファイルの転送処理（ステップＳ２２）、High Resファイル（ＭＸＦファイル）の転送処理（ステップＳ２３）が規定されている。設定ファイルによって、ディスクがストレージ装置に挿入された場合の動作と、ディスク中のデータの転送先とが規定される。
【００６２】
ＳＭＩファイルがあるとステップＳ１９において判定されると、ステップＳ２４において、ディスクが再生され、ＳＭＩファイルが取り出され、ＳＭＩファイルから編集情報が抽出される。次のステップＳ２４において、抽出された編集情報にしたがって編集例えばカット編集がなされる。カット編集の結果、編集結果が記録されたディスティネーションディスクが作成される。そして、ステップＳ１７におい、ディスクがディスク収納棚の元のビン番号の棚に戻される。
【００６３】
ステップＳ２４の編集処理は、図９に示す順序でもってなされる。ステップＳ３１において、必要なソースの画像音声データが記録されているディスク（ソースディスク）がドライブに挿入される。編集情報によって、１枚または複数枚のソースディスクのディスクＩＤが分かる。複数台のドライブを備えているので、ソースディスクが複数枚の場合には、１枚目のソースディスクがドライブの一つに挿入されると、他のドライブに他のソースディスクが挿入されるのを待機し、全てのソースディスクがドライブに対して挿入される。
【００６４】
ステップＳ３２において、必要な１枚のディスティネーションディスクがドライブに挿入される。ディスティネーションディスクは、外部から新たに挿入しても良いし、予め収納棚の一つに挿入されていても良い。
【００６５】
ステップＳ３３において、編集情報にしたがってソースディスクのＡＶ（画像音声）データの一部または全部をディスティネーションディスクに逐次コピーする。すなわち、カット編集がなされる。ステップＳ３４において、未処理の編集情報の有無が判定される。未処理の編集情報が無い場合には、処理が終了する。未処理の編集情報が有ると判定されると、処理がステップＳ３１に戻る。そして、ステップＳ３１以降、上述した処理と同様の処理が繰り返される。
【００６６】
６．編集処理の具体例
この発明の一実施の形態の理解を容易とするために、図１０に示す編集処理の一例について具体的に説明する。ソースディスクDISC１に記録されている区間例えばクリップCLIP００３をディスティネーションディスクDISC３に記録する。次に、ソースディスクDISC２に記録されているクリップCLIP００４をディスティネーションディスクDISC３に記録する。さらに、ソースディスクDISC１に記録されているクリップCLIP００５をディスティネーションディスクDISC３に記録する。この結果、ディスティネーションディスクDISC３には、CLIP００３、CLIP００４およびCLIP００５が順次記録される。
【００６７】
このような編集を行う場合、オペレータがソースディスクの１枚を選択し、当該ディスクをディスク収納棚１０３に収納する。図１１に示すように、ディスク収納棚１０３からソースディスクDISC３がドライブブロック１０６Ａに挿入される。ソースディスクDISC１には、編集情報がメタデータとして記録されているので、編集情報が抽出され、編集情報が例えばコントローラ１１２のメモリに記憶される。ソースディスクDISC１がドライブブロック１０６Ａに装填された状態が継続される。
【００６８】
次に、オペレータがソースディスクDISC２を選択し、ディスク収納棚１０３に挿入する。コントローラ１１２は、編集情報を基にソースディスクDISC２が編集に使用するディスクであることが分かる。図１２に示すように、コントローラ１１２の制御によって、ソースディスクDISC２がドライブブロック１０６Ｃに装填され、装填された状態が継続される。
【００６９】
次に、オペレータがディスティネーションディスクDISC３を選択し、ディスク収納棚１０３に挿入する。例えばディスクDISC３がブランクディスクであることをコントローラ１１２が検出し、図１３に示すように、コントローラ１１２の制御によって、DISC３がドライブブロック１０６Ｂに装填され、装填された状態が継続される。なお、予め複数枚のディスクをディスク収納棚にまとめて収納し、その後、コントローラ１１２の制御によって、１枚ずつのディスクについて編集に使用するディスクか否かを判定しても良い。この場合は、オペレータがディスクを選別する必要がない。
【００７０】
そして、図１４に示すように、コントローラ１１２がドライブブロック１０６Ａ、１０６Ｂおよび１０６Ｃを制御することによって、図１０に示すように、２枚のソースディスクDISC１およびDISC２にそれぞれ記録されているクリップCLIP００３，CLIP００４およびCLIP００５を順につなげるカット編集が行われ、ディスティネーションディスクDISC３が作成される。
【００７１】
このように、ストレージ装置において編集処理を行うので、最適な分散処理を行うことができる。上位システムとストレージ装置との間で機能が分散され、オブジェクト化するので、全体のシステムがシンプルとなり、品質も向上する。分散した処理をローカルで最適化することができるので、より処理や反応が速くなる。
【００７２】
この発明は、上述の実施の形態に限定されるものではなく、この発明の技術的思想に基づく各種の変形が可能である。例えば上述した１枚のソースディスクに記録されている複数のクリップを使用した編集を行うようにしても良い。ディスクの属性は、管理ファイルの有無以外に、メタデータ等によって判定しても良い。編集リストの情報は、ＳＭＩＬ以外の形式で記述しても良い。さらに、ドライブブロックの個数は、２台以上であれば、３台に限定されるものではない。
【図面の簡単な説明】
【００７３】
【図１】この発明の一実施の形態の外観を示す斜視図である。
【図２】この発明の一実施の形態の機構部の動作を示す略線図である。
【図３】この発明の一実施の形態における電気ブロックの部分のブロック図である。
【図４】この発明の一実施の形態におけるファイルシステムの説明に用いる略線図である。
【図５】この発明の一実施の形態におけるＳＭＩファイルの一例を示す略線図である。
【図６】この発明の一実施の形態におけるＳＭＩファイルの一例を示す略線図である。
【図７】この発明の一実施の形態におけるＳＭＩファイルの説明に使用する略線図である。
【図８】この発明一実施の形態の処理の流れを示すフローチャートである。
【図９】この発明一実施の形態における編集処理の流れを示すフローチャートである。
【図１０】編集処理の具体例を示す略線図である。
【図１１】編集処理の一部を説明するための略線図である。
【図１２】編集処理の一部を説明するための略線図である。
【図１３】編集処理の一部を説明するための略線図である。
【図１４】編集処理の一部を説明するための略線図である。
【図１５】従来のストレージ装置の一例のブロック図である。
【図１６】従来のストレージ装置の説明に用いる略線図である。
【図１７】従来のストレージ装置の処理の流れを示すフローチャートである。
【符号の説明】
【００７４】
１００・・・ストレージ装置
１０２・・・扉
１０３・・・ディスク収納棚
１０５・・・搬送ブロック
１０６，１０６Ａ，１０６Ｂ，１０６Ｃ・・・ドライブブロック
１１１・・・アプリケーション用コンピュータ
１１２・・・コントローラ
【図１】
2010067325.tif 000003
【図２】
2010067325.tif 000004
【図３】
2010067325.tif 000005
【図４】
2010067325.tif 000006
【図５】
2010067325.tif 000007
【図６】
2010067325.tif 000008
【図７】
2010067325.tif 000009
【図８】
2010067325.tif 000010
【図９】
2010067325.tif 000011
【図１０】
2010067325.tif 000012
【図１１】
2010067325.tif 000013
【図１２】
2010067325.tif 000014
【図１３】
2010067325.tif 000015
【図１４】
2010067325.tif 000016
【図１５】
2010067325.tif 000017
【図１６】
2010067325.tif 000018
【図１７】
2010067325.tif 000019